(57)【特許請求の範囲】
【請求項１】
両端に樋装着部を設けた支持体と、基端に軒先装着部を設けると共に、先端を支持体中間部分に連結する取付体とで構成され、支持体の前後中間位置の上面において、支持体と一体である両側面間に架設した軸部に、取付体先端が支持体面との間隙に挿入できる揺動体を装着し、前記揺動体の軸装着部分の前後一方に、回動操作で下方に突出するカム状の止着体を軸結し、取付体の先端部分を、揺動体及び止着体の下方に前後移動可能に挿入し、止着体の回動操作で支持体と取付体の固定連結を行ってなることを特徴とする樋支持具。
【請求項２】
揺動体を、側面を有する下方開口コの字状に形成すると共に、後端部分は箱形形状にして後端面を側面より下方に突出させ、前端部分は側面のみとして、側面部を有して下方開口コの字状に形成し、且つ上面板を延長して操作レバーに形成した止着体を、揺動体の枢結位置となる軸部の前方で揺動体に軸結し、前記止着体の両側面部端縁をカム形状とし、取付体先端部分に、揺動体の突出した後端面に対応すると共に、揺動体下方に挿入した際に止着体の両側面部の内側に位置することになる上方突条を、所定間隔で多数設けてなる請求項１記載の樋支持具。
【請求項３】
先端樋装着部を樋前耳部への差込突部に形成し、基端樋装着部を樋後耳部の抱持部としてなる樋支持具において、前記抱持部を、樋後耳部を上方から後面に抱くように垂設した舌片部と、舌片部下方に前方付勢した抜け止め部とで構成してなる請求項１又は２記載の樋支持具。
【請求項４】
抜け止め部を、舌片部に樋長手方向と平行に付設した横軸と、前記横軸に軸装した突出片部と、突出片部を下方が後退して上方が突出するように付勢した付勢部材とで構成した請求項３記載の樋支持具。
【発明の詳細な説明】
【０００１】
【産業上の利用分野】
本発明は、軒先に樋を装着する際に使用する樋支持具に関するもので、具体的には、軒先と樋固定位置を調整できる支持具に関するものである。
【０００２】
【従来技術及び発明が解決しようとする課題】
樋支持具は、種々の樋形状に対応するようにしているが、軒先と樋の位置関係を容易に調整できるように、樋支持具の両端に樋装着部を設けた支持体と、基端に軒先装着部を設けると共に、先端を支持体中間部分に連結する取付体とで構成し、両者の連結位置を調整することで樋装着部の相対的位置を調整する構成が広く採用されている。
【０００３】
具体的には、支持体と取付体の連結孔の一方又は双方を長孔とし、連結孔に止着ボルトを装着して所望位置で連結固定するようにしている（実公平５−４２１７２号）。
【０００４】
しかし位置調整の固定手段としてボルトナットを使用しているために、位置調整操作が煩雑である。
【０００５】
また位置調整操作を容易にする手段として、ボルトナットに代えてカムレバーを際することも提案されているが（特開平１０−２５２２３０号）、支持体と取付体の連結箇所が透孔となっているので、当該箇所の強度低下が問題となる。
【０００６】
そこで本発明は、透孔を必要としない位置調整機構を付設した新規な樋支持具を提案したものである。
【０００７】
また樋の前側耳部（樋前耳部）に、内側に開口した差込受け部を備え、後側耳部（樋後耳部）が外側に膨出している樋が広く採用されており、前記の樋を対象とした支持具においては、支持体の先端樋装着部が樋前耳部への差込突部に形成され、基端樋装着部が樋後耳部の抱持部としている。
【０００８】
そして抱持部の構造として種々提案されており、具体的には、外側の抱持受け部と樋後耳部の内側に位置するバネ板で形成し、樋後耳部をバネ板に押し込んで抱持受け部に圧入する構造が一般的である（実開平６−７９９３５号）。またバネ板にかえて、抱持受け部の内方位置に出没する抜け止め用係止ピンを設けた構造も知られている（実公平５−４６５７７号）。
【０００９】
しかし前記の抱持構造は、いずれも樋の内側に、樋の内面と当接する抑え部材が存在することになり、ゴミなどが引っかかり易い。特にバネ板を採用した器具では、樋の取り外し作業が面倒である。
【００１０】
そこで更に本発明は、樋の着脱操作が容易な樋取付構造を備えた樋支持具を提案した。
【００１１】
【課題を解決する手段】
本発明に係る樋支持具は、両端に樋装着部を設けた支持体と、基端に軒先装着部を設けると共に、先端を支持体中間部分に連結する取付体とで構成され、支持体の前後中間位置の上面において、支持体と一体である両側面間に架設した軸部に、取付体先端が支持体面との間隙に挿入できる揺動体を装着し、前記揺動体の軸装着部分の前後一方に、回動操作で下方に突出するカム状の止着体を軸結し、取付体の先端部分を、揺動体及び止着体の下方に前後移動可能に挿入し、止着体の回動操作で支持体と取付体の固定連結を行ってなることを特徴とするものである。
【００１２】
従って止着体の底辺が取付体先端を非強圧状態（緩めた状態）であるならば、揺動体も強制状態でないので取付体の先端部分を、揺動体及び止着体の下方に前後移動可能に挿入でき、所望位置で止着体を回動し、カム状部分の下方突出で取付体を押圧すると共に、揺動体もシーソー回動して取付体を押圧するので、取付体を前後で押圧して固定することになる。
【００１３】
また本発明の樋支持具は、樋後耳部の抱持部を、樋後耳部を上方から後面に抱くように垂設した舌片部と、舌片部下方に前方付勢した抜け止め部とで構成したものである。
【００１４】
従って抜け止め部を後退させ、樋後耳部を舌片部前方に添うように位置させた後に、抜け止め部を開放すると、付勢力で抜け止め部が樋後耳部の下方に突出して、樋の支持を行う。
【００１５】
【実施の形態】
次に本発明の実施の形態について説明する。実施形態に示した樋支持具は、基本的に従前の器具と同様に支持体１と取付体２を備えると共に、特に両者を連結止着する揺動体３及び止着体４とで構成されるものである。
【００１６】
支持体１は、本体１１の前後両端に樋装着部１２，１３を設けたもので、先端樋装着部１２は、樋Ａの樋前耳部ａの差込突部に形成し、基端樋装着部１３は、樋後耳部ｂの抱持部としてなるものである。
【００１７】
特に前記抱持部を、樋後耳部ｂを上方から後面に抱くように垂設した舌片部１４と、舌片部１４下方に前方付勢した抜け止め部１５とで構成したもので、抜け止め部１５は、舌片部１４の両側方から前方に突設した側板１４１に、樋Ａの長手方向と平行に架設した横軸１５１と、前記横軸１５１に軸装した突出片部１５２と、突出片部１５２を下方が後退して上方が突出するように付勢した付勢部材１５３とで構成したものである。なお前記突出片部１５２は、後方開口のコの字状体で、上端面は、樋Ａの樋後耳部ｂの形状に対応させてなる。
【００１８】
更に本体１１の側面には、目盛り線１６を刻設して、取付体２の連結位置の目安とするものである。
【００１９】
取付体２は、基端に軒先へ釘着できるようにした軒先装着部２１を設けると共に、前記支持板の中間部分に積層できる幅の先端部２２に、適宜幅（後述する止着体４の両側面より幅狭とした幅）の上方突条２３を、所定間隔で多数設けてなるものである。
【００２０】
揺動体３は、前方部分の上面及び端面を除去した伏箱型で、支持体１の本体１１の両側面間に位置させると共に、両側面間に架設した軸部１７に軸装してシーソー揺動可能に設けてなる。
【００２１】
また特に揺動体３の底縁と支持体１の底面との間隙に、取付体２の先端部分２２が挿入できるようにしてなる。更に揺動体３の後端面３１は、両側面３２より下方に突出させてなる。
【００２２】
止着体４は、下方開口コの字状に形成したもので、側面部４１は、揺動体の側面３２に添わせ、揺動体３の前方部分で軸４２によって連結すると共に、上面板を延長して操作レバー４３に形成し、側面部４１の両底縁４４は、操作レバー４３の倒伏時に下方に突出状態となるカム形状としたものである。
【００２３】
而して前記金具は、従前器具と同様に軒先Ｂに軒先装着部２１を釘着し、支持体１に樋Ａを取り付けるもので、支持体１と軒先Ｂとの距離の調整は、支持体１と取付体２の連結固定箇所を位置調整で行われる。
【００２４】
即ち、操作レバー４３を起立状態（軸４２を中心に回動）とすると、揺動体３は自由に揺動できる状態であり、止着体４の底縁４４の下方は、非突出状態であるので、支持体１の上面と、揺動体３及び止着体４の底面との間に差し入れた取付体２の先端部２２は自由に抜き差し移動ができる。
【００２５】
そこで目盛り線１６を参考にして固定位置を決定した後、操作レバー４３を倒伏（軸４２を中心に回動）させると、止着体４のカム状の底縁４４が下方に突出して先端部２２を下圧する。同時に下圧反動として揺動体３は、軸部１７を中心軸としてシーソー動作をして後端面３１で先端部２２を下圧する。これによって取付体２の先端部２２は、止着体４の両底縁４４と、揺動体３の後端面３１の三点で、支持体１に強く圧せられて固定されることになる。
【００２６】
従って支持体１と取付体２の連結固定は、目盛り線１６の利用によって施工前の金具の固定が可能であり、また固定操作並びに解除操作が容易に実施できると共に、三点支持となってしっかりと固定され、更に取付体２の上方突条２３と止着体３の後端面３１が噛み合うことによって連結固定箇所のずれが防止される。
【００２７】
更に非固定状態でも、取付体２の先端部２２は、前後二カ所で抑えられていることになるので、カダツキが無く取り扱いが容易であり、特に支持体１の本体１１は、底面に連結用孔部を設けていないので、穿孔による強度低下がない。
【００２８】
金具が軒先Ｂに固定されると、次に樋Ａを装着するもので、本実施形態の取付対象の樋Ａは、樋前耳部ａに内側に開口した差込受け部を備え樋後耳部ｂが外側に膨出している形状で、その取り付け作業は、先端樋装着部１２を樋前耳部ａに差し込み、樋後耳部ｂを基端樋装着部１３の下方から押し上げると、下向きに傾斜している突出片部１５２の傾斜端面に添って樋後耳部ｂを押し上げると、突出片部１５２は、樋後耳部ｂの移動に対応して回動動作し、装着位置に達すると、突出片部１５２は、付勢部材１５３の付勢力で、樋後耳部ｂの下方に進出すると共に、前記付勢力で、樋後耳部ｂを舌片部１４でしっかりと抱持する。
【００２９】
また樋Ａの取り外しに際しては、突出片部１５２の上部を後方に回動させて、突出片部１５２の前端面を下方突出のスロープ状にすると、樋後耳部ｂを装着位置から容易に外すことができる。
【００３０】
なお本発明は、図示した前記実施形態に限定されるものではなく、支持体の本体形状（両側面を立ち上げた形状）や、取付体の本体形状（両側面を立ち上げた形状）に限定されるものではなく、所定の強度を備え、且つ本発明を実現する所定の構造を具備するものであれば、その形状は、任意に定めることができる。
【００３１】
【発明の効果】
以上のように本発明は、両端に樋装着部を設けた支持体と、基端に軒先装着部を設け、先端を支持体中間部分に連結する取付体とで構成され、支持体と一体である両側面間に架設した軸部に、揺動体を装着するとともに、前記揺動体の軸装着部分の前後一方に、回動操作で下方に突出するカム状の止着体を軸結し、取付体の先端部分を揺動体及び止着体の下方に前後移動可能に挿入し、止着体の回動操作で支持体と取付体の固定連結を行う樋支持具で、止着体の回動操作で容易に且つ堅牢に支持体と取付体の連結固定を行うことができ、しかも支持体に連結用孔部を不必要として強度低下を招くことなく連結構造を組み込むことができたものである。
【図面の簡単な説明】
【図１】本発明の実施形態の全体斜視図。
【図２】同正面図。
【図３】同一部（連結箇所）平面図。
【図４】同連結構造箇所の断面図（非固定状態）。
【図５】同固定状態の連結構造箇所の説明図で、（イ）は、正面側断面図（ロ）は、背面図。
【図６】同樋装着の説明図。
【符号の説明】
１      支持体
１１    本体
１２    先端樋装着部
１３    基端樋装着部
１４    舌片部
１４１  側面部
１５    抜け止め部
１５１  横軸
１５２  突出片部
１５３  付勢部材
１６    目盛り線
１７    軸部
２      取付体
２１    軒先装着部
２２    先端部
２３    上方突条
３      揺動体
３１    後端面
３２    両側面
４      止着体
４１    側面部
４２    軸
４３    操作レバー
４４    底縁
【図１】
0003598102.tif 000002
【図２】
0003598102.tif 000003
【図３】
0003598102.tif 000004
【図４】
0003598102.tif 000005
【図５】
0003598102.tif 000006
【図６】
0003598102.tif 000007